(57)【要約】【課題】診断を円滑に進めることを可能とする。【解決手段】医用画像データに基づく医用画像を含む検査情報を表示する表示部４５と、医用画像データ及び医用画像データの取得を指示する撮影オーダー情報を記憶する記憶部４３と、撮影オーダー情報に対応する医用画像データが未取得である場合、当該医用画像データが未取得であることを示すオーダー画像を、検査情報として表示部４５に表示させる制御部４１と、を備える。【選択図】図２
2018000403.tif 000002
【特許請求の範囲】
【請求項１】
医用画像データに基づく医用画像を含む検査情報を表示する表示手段と、
前記医用画像データ及び前記医用画像データの取得を指示する撮影オーダー情報を記憶する記憶手段と、
前記撮影オーダー情報に対応する前記医用画像データが未取得である場合、当該医用画像データが未取得であることを示すオーダー画像を、前記検査情報として前記表示手段に表示させる表示制御手段と、
を備えることを特徴とする画像表示装置。
【請求項２】
前記オーダー画像は、前記医用画像と同程度の大きさを有することを特徴とする請求項１に記載の画像表示装置。
【請求項３】
前記医用画像は、前記医用画像データから得られるサムネイル画像であって、
前記表示制御手段は、
複数の患者に対する前記検査情報を一覧表示したリスト画面上において、患者毎の前記サムネイル画像と前記オーダー画像を並べて表示させることを特徴とする請求項２に記載の画像表示装置。
【請求項４】
前記検査情報は、所定の条件によりグループ分けされており、
前記表示制御手段は、グループ分けされたグループ毎に、前記検査情報を前記表示手段に表示させることを特徴とする請求項３に記載の画像表示装置。
【請求項５】
前記医用画像は、前記医用画像データから得られる、診断に用いられる診断用画像であって、
前記表示制御手段は、
一の患者の診断を行うためのビューアー画面上において、前記診断用画像と前記オーダー画像を並べて表示させることを特徴とする請求項２に記載の画像表示装置。
【請求項６】
医用画像データに基づく医用画像を含む検査情報を表示する表示手段、及び前記医用画像データ及び前記医用画像データの取得を指示する撮影オーダー情報を記憶する記憶手段を有する画像表示装置のコンピューターを、
前記撮影オーダー情報に対応する前記医用画像データが未取得である場合、当該医用画像データが未取得であることを示すオーダー画像を、前記検査情報として前記表示手段に表示させる表示制御手段、
として機能させるためのプログラム。
【発明の詳細な説明】
【技術分野】
【０００１】
本発明は、画像表示装置及びプログラムに関する。
【背景技術】
【０００２】
従来、ＣＲ（Ｃｏｍｐｕｔｅｄ Ｒａｄｉｏｇｒａｐｈｙ）、ＣＴ（Ｃｏｍｐｕｔｅｄ Ｔｏｍｏｇｒａｐｈｙ）、ＭＲＩ（Ｍａｇｎｅｔｉｃ Ｒｅｓｏｎａｎｃｅ Ｉｍａｇｉｎｇ）等のモダリティー（撮影装置）で撮影された医用画像を管理し、必要に応じて表示させることのできる画像表示装置が普及している。
例えば、複数の患者に対して撮影された医用画像を一括管理し、表示対象となる特定の患者が選択されると、その患者の医用画像のみを表示させる装置などが提案されている（例えば、特許文献１参照）。
【０００３】
ところで、近年、モダリティーに対して撮影オーダー情報が発行され、これに基づいて医用画像の撮影が行われるようになってきている。撮影オーダー情報とは、患者に対する問診等により決定された、医用画像の撮影に関する情報であり、例えば、患者ＩＤ、患者名、撮影する患者の身体の部位や撮影方向、使用する装置等の各項目が含まれている。
【先行技術文献】
【特許文献】
【０００４】
【特許文献１】特開２００８−１４８９７３号公報
【発明の概要】
【発明が解決しようとする課題】
【０００５】
しかしながら、上記特許文献１の装置では、特定の患者の医用画像を選択的に表示させることができるものの、その画面上でその患者の未撮影の画像の有無を確認することはできず、当該未撮影の画像の有無を確認するには、撮影オーダー情報を確認するための別画面に切り換える作業が発生していた。
このため、医用画像の表示中に画面操作を行うことなく、撮影の進捗状況などを把握し、診断を円滑に進めたいという要望があった。
【０００６】
本発明の課題は、診断を円滑に進めることを可能とする画像表示装置、及びプログラムを提供することである。
【課題を解決するための手段】
【０００７】
上記課題を解決するため、本発明の請求項１に記載の画像表示装置によれば、
医用画像データに基づく医用画像を含む検査情報を表示する表示手段と、
前記医用画像データ及び前記医用画像データの取得を指示する撮影オーダー情報を記憶する記憶手段と、
前記撮影オーダー情報に対応する前記医用画像データが未取得である場合、当該医用画像データが未取得であることを示すオーダー画像を、前記検査情報として前記表示手段に表示させる表示制御手段と、
を備えることを特徴とする画像表示装置が提供される。
【０００８】
また、本発明の請求項２に記載の画像表示装置によれば、
前記オーダー画像は、前記医用画像と同程度の大きさを有することを特徴とする請求項１に記載の画像表示装置が提供される。
【０００９】
また、本発明の請求項３に記載の画像表示装置によれば、
前記医用画像は、前記医用画像データから得られるサムネイル画像であって、
前記表示制御手段は、
複数の患者に対する前記検査情報を一覧表示したリスト画面上において、患者毎の前記サムネイル画像と前記オーダー画像を並べて表示させることを特徴とする請求項２に記載の画像表示装置が提供される。
【００１０】
また、本発明の請求項４に記載の画像表示装置によれば、
前記検査情報は、所定の条件によりグループ分けされており、
前記表示制御手段は、グループ分けされたグループ毎に、前記検査情報を前記表示手段に表示させることを特徴とする請求項３に記載の画像表示装置が提供される。
【００１１】
また、本発明の請求項５に記載の画像表示装置によれば、
前記医用画像は、前記医用画像データから得られる、診断に用いられる診断用画像であって、
前記表示制御手段は、
一の患者の診断を行うためのビューアー画面上において、前記診断用画像と前記オーダー画像を並べて表示させることを特徴とする請求項２に記載の画像表示装置が提供される。
【００１２】
また、本発明の請求項６に記載の画像表示装置によれば、
医用画像データに基づく医用画像を含む検査情報を表示する表示手段、及び前記医用画像データ及び前記医用画像データの取得を指示する撮影オーダー情報を記憶する記憶手段を有する画像表示装置のコンピューターを、
前記撮影オーダー情報に対応する前記医用画像データが未取得である場合、当該医用画像データが未取得であることを示すオーダー画像を、前記検査情報として前記表示手段に表示させる表示制御手段、
として機能させるためのプログラムが提供される。
【発明の効果】
【００１３】
本発明によれば、診断を円滑に進めることが可能となる。
【図面の簡単な説明】
【００１４】
【図１】医用画像管理システムの概略構成を示す図である。
【図２】画像表示装置の機能構成例を示すブロック図である。
【図３】画像表示処理を示すフローチャートである。
【図４】リスト画面の一例を示す図である。
【図５】リスト画面の一の患者情報を抜粋した拡大図である。
【図６】ビューアー画面の一例を示す図である。
【発明を実施するための形態】
【００１５】
以下、図を参照して本発明の実施の形態を詳細に説明する。但し、発明の範囲は、図示例に限定されない。
【００１６】
まず、構成を説明する。
［医用画像管理システムの構成］
図１に、本実施の形態における医用画像管理システムの概略構成図を示す。
図１に示すように、医用画像管理システム１０は、医療施設内に構築され、受付装置１、オーダー生成装置２、画像生成装置３、画像表示装置４等がＬＡＮ（Local Area Network）等の通信ネットワーク５を介して相互にデータの送受信が可能に接続されて構成されている。
【００１７】
通信ネットワークで用いられる通信方式としては、一般的に、ＤＩＣＯＭ（Digital Image and Communications in Medicine）規格が用いられており、ＬＡＮ接続された各装置間の通信では、ＤＩＣＯＭ ＭＷＭ(Modality Worklist Management)やＤＩＣＯＭ ＭＰＰＳ（Modality Performed Procedure Step）が用いられる。なお、本実施の形態に適用可能な通信方式はこれに限定されない。
【００１８】
受付装置１は、来院した患者の受付登録、会計計算、保険点数計算等を行うためのコンピューター装置である。受付装置１は、ＣＰＵ（Central Processing Unit）等により構成される制御部、ＨＤＤ（Hard Disk Drive）やＲＡＭ（Random Access Memory）等により構成される記憶部、キーボードやマウス等により構成される入力部、ＣＲＴ（Cathode Ray Tube）やＬＣＤ（Liquid Crystal Display）等により構成される表示部、通信ネットワーク５に接続された各装置との通信を制御する通信部（いずれも図示せず）等を備えて構成されている。
【００１９】
受付装置１は、入力部より受付入力画面の表示が指示されると、制御部と記憶部に記憶されたプログラムとの協働により、表示部に図示しない受付入力画面を表示する。この受付入力画面を介して、入力部により、受付番号、患者氏名等の各項目が入力されると、受付された患者の患者識別情報を作成（更新）して記憶部に記憶し、通信部により適宜画像表示装置４に対して送信する。患者識別情報としては、患者ＩＤ、患者の氏名、性別、生年月日、年齢等の情報が含まれる。
【００２０】
オーダー生成装置２は、オペレーターによる登録操作に応じて撮影オーダー情報を生成する。オーダー生成装置２としては、例えば、ＨＩＳ（Hospital Information System）やＲＩＳ（Radiology Information System）等を適用することができる。
撮影オーダー情報は、撮影オーダー情報を識別するためのオーダーＩＤ、検査日付、検査対象の患者識別情報（患者ＩＤ、患者氏名、性別、年齢等）、依頼医師名、画像生成装置（モダリティー）、検査コード等の情報を含む。検査コードは、検査内容（検査部位、側性（左、右）、方向（例えば、上下方向（ＣＣ）、斜位方向（ＭＬＯ）、予約手続記述、検査記述、シリーズ記述等）を示すコード値である。検査コードは、ＤＩＣＯＭ規格に準拠したものである。
オーダー生成装置２は、生成された撮影オーダー情報を画像生成装置３と、画像表示装置４とに送信する。
【００２１】
画像生成装置３は、人体を撮影し、その撮影画像のデジタルデータ（以下、医用画像データと称す）を生成するものであり、例えばＣＲ（Computed Radiography）、ＦＰＤ（Flat Panel Detector ）、ＣＴ（Computed Tomography）、ＭＲＩ（Magnetic Resonance Imaging）、カセッテ専用の読取装置、フィルムディジタイザー等のモダリティーを適用可能である。
【００２２】
画像生成装置３は、生成した医用画像データに、患者識別情報、撮影オーダー情報、検査内容、モダリティー種、画像を識別するためのＵＩＤ（Unique ＩＤ）等の、医用画像データに関連して設定された画像設定情報をヘッダー情報として付加して画像表示装置４に送信する。
【００２３】
なお、画像生成装置３は、ＤＩＣＯＭ規格に準拠した装置であり、生成した医用画像データに付帯させる各種情報、例えば、患者識別情報や検査内容を外部から入力可能であるとともに、自動生成することもできる。また、画像生成装置３がＤＩＣＯＭ規格に準拠していない場合には、図示しないＤＩＣＯＭ変換装置を用いて付帯情報を画像生成装置３に入力させることも可能である。
【００２４】
画像表示装置４は、画像生成装置３から送信された医用画像データを取り込んで保存及び管理し、医師による診断のために表示したり、外部に出力したりするコンピューター装置である。
【００２５】
［画像表示装置の構成］
図２に、画像表示装置４の機能構成例を示す。
図２に示すように画像表示装置４は、制御部４１、ＲＡＭ４２、記憶部４３、操作部４４、表示部４５、通信部４６等を備えて構成されており、各部はバス４８により接続されている。
【００２６】
制御部４１は、ＣＰＵ等から構成され、画像表示装置４の各部の処理動作を統括的に制御する。
具体的には、制御部４１は、操作部４４から入力される操作信号、通信部４６により受信される指示信号に応じて、記憶部４３に記憶されている各種処理プログラムを読み出してＲＡＭ４２内に展開し、当該プログラムとの協働により各種処理を実行する。
【００２７】
例えば、制御部４１は、操作部４４から入力される操作信号に従って、表示部４５に、リスト画面（図４参照）やビューアー画面（図６参照）を表示させる。
また、これらの画面を表示させる際、制御部４１は、医用画像と共に、撮影オーダー情報に基づいたオーダー画像を表示させる。オーダー画像は、撮影オーダー情報はあるが撮影前の状態、即ち、撮影オーダー情報に対応する医用画像データが未取得である場合に、医用画像の代わりに表示部４５に表示されるものである。
【００２８】
ＲＡＭ４２は、制御部４１により実行制御される各種処理において、記憶部４３から読み出された制御部４１で実行可能な各種プログラム、入力若しくは出力データ、及びパラメーター等を一時的に記憶する。
【００２９】
記憶部４３は、ＨＤＤ（Hard Disk Drive）や半導体の不揮発性メモリー等により構成される。記憶部４３は、前述のように各種プログラムを記憶しているほか、各種プログラムを実行するために必要なパラメーターやデータを記憶している。
また、記憶部４３は、患者識別情報領域４３１、撮影オーダー情報領域４３２、医用画像データ領域４３３を有しており、これら各領域に患者識別情報、撮影オーダー情報、医用画像データをそれぞれ格納している。従って、記憶部４３は、撮影オーダー情報、医用画像データを記憶する記憶手段として機能している。
【００３０】
患者識別情報領域４３１は、受付装置１から送信された患者識別情報を格納する領域である。
【００３１】
撮影オーダー情報領域４３２は、オーダー生成装置２から送信された、医用画像データの取得を指示する撮影オーダー情報を格納する領域である。
【００３２】
医用画像データ領域４３３は、画像生成装置３において生成された医用画像データを格納する領域である。医用画像データに付加された画像設定情報も、医用画像データ領域４３３に格納される。
【００３３】
操作部４４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部４１に出力する。
【００３４】
表示部４５は、例えば、ＣＲＴ（Cathode Ray Tube）やＬＣＤ（Liquid Crystal Display）等のモニターを備えて構成されており、制御部４１から入力される表示信号の指示に従って、医用画像データに基づく画像を含む画面や各種画面を表示する表示手段として機能する。
【００３５】
通信部４６は、通信ネットワーク５に接続された外部機器、例えば、受付装置１、オーダー生成装置２、画像生成装置３等との間でデータの送受信を行う。
【００３６】
次に、本実施の形態の動作を説明する。
［画像表示処理］
図３に、本実施の形態における画像表示処理のフローチャートを示す。
図３に示す処理は、画像表示装置４の制御部４１と各部との協働により実行される。
【００３７】
まず、制御部４１は、操作部４４を介してリスト画面の表示指示が入力されたか否かを判断し（ステップＳ１）、入力されない場合（ステップＳ１：ＮＯ）、かかるステップＳ１の処理を繰り返す。
一方、リスト画面の表示指示が入力された場合（ステップＳ１：ＹＥＳ）、制御部４１は、表示部４５にリスト画面を表示させる（ステップＳ２）。
【００３８】
図４に、リスト画面Ａ１００の例を示す。
図４に示すように、リスト画面Ａ１００は、複数（ここでは５つ）の患者の患者情報Ｊ（Ｊ１〜Ｊ５）が一覧表示された画面である。
患者情報Ｊは、リスト画面Ａ１００において横長に表示され、画面左側に位置する患者識別領域Ｅ１１と、画面右側に位置する検査情報領域Ｅ１２と、を備えている。
【００３９】
患者識別領域Ｅ１１は、その患者情報Ｊに該当する患者を識別するための情報を表示する領域であって、患者氏名、患者ＩＤ、生年月日等が表示されている。
【００４０】
検査情報領域Ｅ１２は、患者識別領域Ｅ１１で識別された患者に関連する検査情報として、医用画像データから生成されたサムネイル画像Ｇ１と、撮影オーダー情報に基づいて生成されたオーダー画像Ｇ２と、を表示する領域である。
【００４１】
サムネイル画像Ｇ１は、医用画像データ領域４３３に格納された医用画像データの解像度を下げてサイズを縮小した医用画像である。
【００４２】
オーダー画像Ｇ２は、撮影オーダー情報領域４３２に撮影オーダー情報が格納されている（即ち、撮影予定がある）ものの、医用画像データ領域４３３にその撮影オーダー情報に対応する医用画像データが格納されていない場合（撮影前の未取得の状態である場合）に表示されるものである。
即ち、オーダー画像Ｇ２は、撮影オーダー情報に対応する医用画像データが未取得の場合に、検査情報領域Ｅ１２においてサムネイル画像Ｇ１と並べて表示され、これにより、その患者の検査オーダーの状態と過去画像（過去の撮影結果）を同時に閲覧できるようになっている。
オーダー画像Ｇ２は、サムネイル画像Ｇ１と同程度の大きさを有し、検査部位を示す文字等を備えている。図４は、オーダー画像Ｇ２として、「ＣＨＥＳＴ（胸郭）」「Ｅｒｅｃｔ  ＰＡ」の文字を備えた例である。
なお、オーダー画像Ｇ２の図柄は、特に限定されるものではなく、文字以外にも、例えば、検査部位を示すマーク等が表示されたものであっても良い。
【００４３】
このようなサムネイル画像Ｇ１及びオーダー画像Ｇ２を含む検査情報は、所定の条件によりグループ分けされており、グループ分けされたグループ毎に、検査情報領域Ｅ１２に表示されている。
所定の条件とは、互いに関連する画像を纏めるための条件であり、例えば、検査日、診断部位、モダリティー種等である。
【００４４】
図５に、一の検査情報領域Ｅ１２のみを拡大した例を示す。
図５の例では、検査情報は、検査日ごとにグループｇ１、ｇ２にグループ分けされ、検査日が新しいものから順に左側にくるように表示されている。また、検査日が同一の場合は、診断部位ごとにグループｇ１１、ｇ１２にグループ分けされて表示されている。
【００４５】
また、検査情報領域Ｅ１２において、検査情報は、操作部４４に入力された操作に基づいて、画面横方向にスライドさせることが可能であり、その患者の過去から現在にわたる検査履歴を把握できるようになっている。
【００４６】
図３に戻って、制御部４１は、リスト画面において、いずれかの患者情報Ｊが操作部４４により選択されることで、ビューアー画面の表示指示が入力されたか否かを判断し（ステップＳ３）、入力されない場合（ステップＳ３：ＮＯ）、かかるステップＳ３の処理を繰り返す。
一方、ビューアー画面の表示指示が入力された場合（ステップＳ３：ＹＥＳ）、制御部４１は、表示部４５にビューアー画面を表示させる（ステップＳ４）。
【００４７】
次いで、制御部４１は、ビューアー画面において表示させる画像の選択が行われたか否かを判断し（ステップＳ５）、選択されない場合（ステップＳ５：ＮＯ）、かかるステップＳ５の処理を繰り返す。
一方、画像の選択が行われた場合（ステップＳ５：ＹＥＳ）、制御部４１は、その選択された画像を表示し（ステップＳ６）、本処理を終了する。
【００４８】
図６に、ビューアー画面Ａ２００の例を示す。なお、図６は、上記ステップＳ６により画像が表示された状態のビューアー画面Ａ２００を示している。
ビューアー画面Ａ２００は、特定の患者の診断を行うための画面である。
図６に示すように、ビューアー画面Ａ２００には、画像選択領域Ｅ２１と、画像表示欄Ｅ２２〜Ｅ２５と、が設けられている。
【００４９】
画像選択領域Ｅ２１は、リスト画面Ａ１００の検査情報領域Ｅ１２に表示されたものと同様のサムネイル画像Ｇ１及びオーダー画像Ｇ２を表示する領域である。
なお、図６の例では、画像選択領域Ｅ２１は、ビューアー画面Ａ２００において縦長に表示されているが、画面の上部又は下部に横長に表示されることとしても良い。
また、図６の例では、オーダー画像Ｇ２は、検査部位を示す文字及びマークを備えているが、図４と同一の図柄であっても良い。
【００５０】
画像選択領域Ｅ２１に表示されたサムネイル画像Ｇ１及びオーダー画像Ｇ２から、画像の選択が行われることで、画像表示欄Ｅ２２〜Ｅ２５に、その選択された画像が表示されることとなる。
【００５１】
画像表示欄Ｅ２２〜Ｅ２５は、検査情報として、画像選択領域Ｅ２１にて選択された画像（サムネイル画像Ｇ１及びオーダー画像Ｇ２）に対応する画像（診断用画像Ｇ３及び第２のオーダー画像Ｇ４）を表示する領域である。なお、図６の例では、４つの画像表示欄Ｅ２２〜Ｅ２５が設けられているが、その数はこれに限定されない。
【００５２】
具体的には、画像選択領域Ｅ２１に表示されている画像からサムネイル画像Ｇ１を指定し、画像表示欄Ｅ２２〜Ｅ２５の何れかの欄にドラッグすることで、選択されたサムネイル画像Ｇ１に対応する診断用画像Ｇ３を表示させることができる。
図６の例では、サムネイル画像Ｇ１−１、Ｇ１−２が、それぞれ画像表示欄Ｅ２３、Ｅ２５に表示されている。
【００５３】
診断用画像Ｇ３は、医用画像データから得られる、医師等による診断が可能な解像度を有する医用画像である。
【００５４】
また、画像選択領域Ｅ２１に表示されている画像からオーダー画像Ｇ２を指定し、画像表示欄Ｅ２２〜Ｅ２５の何れかの欄にドラッグすることで、選択されたオーダー画像Ｇ２に対応する第２のオーダー画像Ｇ４を表示させることができる。
図６の例では、オーダー画像Ｇ２−１が、画像表示欄Ｅ２２に表示されている。
【００５５】
第２のオーダー画像Ｇ４は、オーダー画像Ｇ２と同様に、撮影オーダー情報領域４３２に撮影オーダー情報が格納されている（即ち、撮影予定がある）ものの、医用画像データ領域４３３にその撮影オーダー情報に対応する医用画像データが格納されていない場合（撮影前の未取得の状態である場合）に表示されるものである。
即ち、第２オーダー画像Ｇ４も、撮影オーダー情報に対応する医用画像データが未取得の場合に、画像表示欄Ｅ２２〜Ｅ２５において、診断用画像Ｇ３と並べて表示され、これにより、その患者の検査オーダーの状態と過去画像（過去の撮影結果）を同時に閲覧できるようになっている。
【００５６】
第２のオーダー画像Ｇ４は、診断用画像Ｇ３と同程度の大きさを有し、検査部位を示すマークや文字等を備えている。図６は、第２のオーダー画像Ｇ４として、「Ｃｈｅｓｔ（胸郭）  ＰＡ」の文字と、これに対応するマークを備えた例である。
なお、第２のオーダー画像Ｇ４の図柄は、特に限定されるものではなく、これ以外にも、例えば、詳細な検査内容等が表示されたもの等であっても良い。
【００５７】
また、第２のオーダー画像Ｇ４は、対応する医用画像データが取得された場合、取得された医用画像データから得られた診断用画像Ｇ３と差し換えられる。なお、ここでいう診断用画像Ｇ３は、医用画像データに対して任意の加工のなされていない元データからの画像である。
図６の例では、画像表示欄Ｅ２４において、表示されていたオーダー画像が、診断用画像Ｇ３と差し換えられている。なお、この際、画像選択領域Ｅ２１に表示されていたオーダー画像も、サムネイル画像Ｇ１−３に差し換えられている。
【００５８】
そして、この場合、画像表示欄Ｅ２２〜Ｅ２５には、差し換えられた診断用画像Ｇ３を承認する「ＯＫ」ボタンＢ１と、医用画像データの撮り直しを指示する「Ｒｅｊｅｃｔ」ボタンＢ２が表示される。
「ＯＫ」ボタンＢ１が操作されると、その医用画像データは、記憶部４３の医用画像データ領域４３３に格納される。
一方、「Ｒｅｊｅｃｔ」ボタンＢ２が操作されると、その医用画像データは削除され、元の第２のオーダー画像Ｇ４が表示される。
【００５９】
以上、本実施の形態によれば、医用画像データに基づく医用画像を含む検査情報を表示する表示部４５と、医用画像データ及び医用画像データの取得を指示する撮影オーダー情報を記憶する記憶部４３と、撮影オーダー情報に対応する医用画像データが未取得である場合、当該医用画像データが未取得であることを示すオーダー画像を、検査情報として表示部４５に表示させる制御部４１と、を備える。
このため、別画面などを用いて未撮影の画像の有無を確認する必要がなく、一画面で、患者に対して為されるべき検査（撮影）の進捗状況、患者の過去から現在に亘る患部の変化などを把握することができる。
このため、医用画像の表示中に画面操作を行うことなく、撮影の進捗状況などを一目で把握できるので、診断を円滑に進めることができる。
【００６０】
また、本実施の形態によれば、オーダー画像は、医用画像と同程度の大きさを有する。
このため、撮影オーダー情報が、既に取得済みの医用画像データと同等に扱われ、オーダー画像と医用画像を同時に閲覧することができる。
【００６１】
また、本実施の形態によれば、医用画像は、医用画像データから得られるサムネイル画像であって、制御部４１は、複数の患者に対する検査情報を一覧表示したリスト画面Ａ１００上において、患者毎のサムネイル画像とオーダー画像を並べて表示させる。
このため、操作者は、複数の患者に対して為されるべき検査（撮影）の進捗状況などを一目で把握することができる。
【００６２】
また、本実施の形態によれば、検査情報は、所定の条件によりグループ分けされており、制御部４１は、グループ分けされたグループ毎に、検査情報を表示部４５に表示させる。
このため、患者の今後の検査（撮影）予定まで含む履歴を、より把握しやすくすることができる。
【００６３】
また、本実施の形態によれば、医用画像は、医用画像データから得られる、診断に用いられる診断用画像であって、制御部４１は、一の患者の診断を行うためのビューアー画面Ａ２００上において、診断用画像とオーダー画像を並べて表示させる。
このため、操作者は、一の患者に対して、診断用画像と共に、為されるべき検査（撮影）の進捗状況などを一目で把握することができる。
【００６４】
なお、上記実施の形態においては、リスト画面Ａ１００及びビューアー画面Ａ２００は、表示部４５の一の表示画面上に表示される構成であったが、表示部４５は分割された複数（２つ）の表示画面を備え、全体でリスト画面Ａ１００やビューアー画面Ａ２００を表示させる構成であっても良い。
【００６５】
また、ビューアー画面Ａ２００において、撮影オーダーが無い画像が取得された場合、画像選択領域Ｅ２１において、協調表示されたサムネイル画像が表示される構成であっても良い。この場合、その画像を画像表示欄Ｅ２２−Ｅ２５に表示させ、「ＯＫ」ボタンＢ１又は「Ｒｅｊｅｃｔ」ボタンＢ２で承認又は却下することができる。
【符号の説明】
【００６６】
１  受付装置
２  オーダー生成装置
３  画像生成装置
４  画像表示装置
４１  制御部（表示制御手段）
４２  ＲＡＭ
４３  記憶部（記憶手段）
４３１  患者識別情報領域
４３２  撮影オーダー情報領域
４３３  医用画像データ領域
４４  操作部
４５  表示部（表示手段）
Ａ１００  リスト画面
Ａ２００  ビューアー画面
Ｊ、Ｊ１−Ｊ５  患者情報
Ｅ１１  患者識別領域
Ｅ１２  検査情報領域
Ｅ２１  画像選択領域
Ｅ２２−Ｅ２５  画像表示欄
ｇ１、ｇ２、ｇ１１、ｇ１２  グループ
Ｇ１  サムネイル画像
Ｇ２  オーダー画像
Ｇ３  診断用画像
Ｇ４  第２のオーダー画像
４６  通信部
４８  バス
５  通信ネットワーク
１０  医用画像管理システム
【図１】
2018000403.tif 000003
【図２】
2018000403.tif 000004
【図３】
2018000403.tif 000005
【図４】
2018000403.tif 000006
【図５】
2018000403.tif 000007
【図６】
2018000403.tif 000008